(57)【要約】【課題】散布作業を一時中断して再び散布作業を開始しても設定開度の変わることがないようシャッタ開度制御装置を備え、シャッタ開度を保持したままシャッタ開閉スイッチにてシャッタの開閉を独立して行る肥料散布機を提供する。【解決手段】シャッタ開度設定装置を設けたコントロールボックスを運転者近傍に配置し、シャッタ開度を任意に設定可能とした肥料散布機において、シャッタ開度設定を保持したまま独立してシャッタの開閉動作を制御可能にしたシャッタ開閉スイッチを備えることにより、散布作業を一時中断して再び散布作業を開始する時も、シャッタ開度の設定値を変えることなくシャッタの開閉動作を独立して行えるので設定した量の肥料を散布することが可能となり、散布量にバラツキが生じずより正確な散布作業を行うことができる。【選択図】  図１
2004166681.tif 000002
【特許請求の範囲】
【請求項１】
シャッタ開度設定装置を設けたコントロールボックスを運転者近傍に配置し、シャッタ開度を任意に設定可能とした肥料散布機において、シャッタ開度設定を保持したまま独立してシャッタの開閉動作を制御可能にしたシャッタ開閉スイッチを備えたことを特徴とした肥料散布機。
【発明の詳細な説明】
【０００１】
【発明の属する技術分野】
本発明は肥料散布機のシャッタ開閉装置に関するものであり、特にシャッタの開閉量を任意に設定し遠隔操作できる構成に係る。
【０００２】
【従来の技術】
従来、遠隔操作可能とした肥料散布機のシャッタ開閉装置は、電動モータ駆動歯車の移動量あるいはこの駆動歯車により移動する伝導部材の移動量をセンサにより感知測定することでシャッタの開閉量を任意に制御する構成が知られている。（例えば特許文献１参照）
又、シャッタをモータの回動により左右に摺動させ、このモータの回動を制御するコントロールボックスをトラクタ座席近傍に配設し、このコントロールボックスに設けられた調整ダイヤルにてシャッタ開度を任意に調節可能とした構成も知られている。（例えば特許文献２参照）。
【０００３】
【特許文献１】
特許第３１２２９２３号明細書
【特許文献２】
実公昭６４−４９０１４号公報
【０００４】
【発明が解決しようとする課題】
前記従来技術における肥料散布機のシャッタ開閉装置は、トラクタに座乗した状態でシャッタ開度をシャッタ開度設定装置である調整ダイヤルにて任意の開度に調整可能であり、枕地旋回時は調整ダイヤルを「０」にし、散布作業を一時中断して旋回終了後に再び調整ダイヤルにて所望の開度までシャッタを開き散布作業を開始するが、調整ダイヤルを都度回動させ開度調整するため開度設定の誤差が生じ、枕地旋回前と枕地旋回後の散布量にバラツキが生じるという問題がある。
そこで本発明は、散布作業を一時中断して再び散布作業を開始しても設定開度の変わることがないようシャッタ開度制御装置を備え、シャッタ開度を保持したままシャッタ開閉スイッチにてシャッタの開閉を独立して行える肥料散布機を提供することを目的とする。
【０００５】
【課題を解決するための手段】
上記課題を解決するために、シャッタ開度設定装置を設けたコントロールボックスを運転者近傍に配置し、シャッタ開度を任意に設定可能とした肥料散布機において、シャッタ開度設定を保持したまま独立してシャッタの開閉動作を制御可能にしたシャッタ開閉スイッチを備える。
【０００６】
【作用】
以上のような構成にすることにより、散布作業を一時中断して再び散布作業を開始する時も、シャッタ開度の設定値を変えることなくシャッタの開閉動作を独立して行えるので設定した量の肥料を散布することが可能となり、散布量にバラツキが生じずより正確な散布作業を行うことができる。
【０００７】
【発明の実施の形態】
以下、本発明の実施形態を図面に基づいて説明する。
図１は本発明を実施した肥料散布機の一部断面をした斜視図、図２は同肥料散布機に備えたシャッタ開度制御装置の回路図、図３は同肥料散布機に備えたシャッタ開度制御装置のフロー図、図４は同肥料散布機の作業形態図である。
【０００８】
図１において、Ａは肥料散布機を示し１は機枠で側面視後方に開口した形状で前方にはトップブラケット１１とロアリンクブラケット１２Ｌ，１２Ｒを備え、図示されていないがトラクタ３点リンク機構に装着される。
２はホッパで円錐を逆さにし、上方に開口した形状で機枠１の上部に着脱自在に配置され、このホッパ２と機枠１の間には底板２１が設けられ、ホッパ２内部に肥料を搭載可能としてある。
３はアジテータで、ホッパ２内部に回転自在に設けられている。
【０００９】
４はスピンナで水平面をもつ円盤で、上面では散布羽根４１を複数個設けてあり、前記ホッパ２の下方で前記機枠１の内部に回転自在に配置される。
５はミッションで前方に突設した入力軸５１を有し、図示されていないがトラクタＰＴＯ軸とユニバーサルジョイントで連結され回転動力をミッション５へ伝達し、この回転動力はミッション５内に備えられるベベルギヤを介し垂直方向に突設した出力軸へ伝達し、この出力軸はミッション５の上方に配置される前記スピンナ４及び前記アジテータ３が連結され回転駆動する。
６はシャッタで前記底板２１の下部に前後方向摺動自在に設け、スライドすることより底板２１に開口部ａを形成する開閉作用を有する。そして、ホッパ２内に搭載した肥料が回転するアジテータ３の作用により前記開口部ａより落下し、下方で回転する前記スピンナ４により後方に向け広域に散布される。
【００１０】
７はシャッタ開閉装置で前記機枠１の前方上部に配置される。これは図示されていないが、手動シャッタ開閉レバーの取付位置に取り付けることが可能である。シャッタ開閉装置７は前記シャッタ６の開閉作用を電気的に行うもので、モータギヤ７１を備えた電動モータＭとモータギヤ７１と噛合し、水平方向に軸支されたシャッタギヤプレート７２を有し、このシャッタギヤプレート７２はシャッタロット７３を介し、前記シャッタ６と連結され水平回動するシャッタリンク７４と連結される。モータギヤ７１を備えた電動モータＭが回動することより、噛合するシャッタギヤプレート７２を前後方向に回動させ、シャッタロット７３にて連結されるシャッタリンク７４を水平回動させ連結するシャッタ６をスライドさせる。
【００１１】
８はシャッタ開度制御装置で電気回路を備えており、主電源をＯＮ，ＯＦＦするメインスイッチ８１ａ、シャッタ開度設定装置であるシャッタ開度設定ダイヤル８１ｂ、シャッタの開閉動作を指示するシャッタ開閉スイッチ８１ｃ、シャッタ全閉時点灯するシャッタ全閉ランプ８１ｄを備えたコントロールボックス８１からの指示により、前記コントロールボックス８１は図示されていないがトラクタ座席運転者近傍に配置される。
【００１２】
作用を簡単に説明すると、前記コントロールボックス８１に設けられたシャッタ開度設定ダイヤル８１ｂを回動させることにより前記シャッタ６のスライド量、つまりシャッタ開度を任意に設定することができる。このシャッタ開度設定ダイヤル８１ｂを回動させ所望のシャッタ開度に設定すると、シャッタ開度指示抵抗値ｘをシャッタ開度制御装置８へ出力し、前記電動モータＭが回動を開始し前記シャッタギヤプレート７２を回動させる。このシャッタギヤプレート７２の軸支部にはポテンショメータ８２が設けてあり、シャッタギヤプレート７２の回動にともない電気抵抗値ｙの変位をシャッタ開度制御装置８へ出力し、前記シャッタ開度設定ダイヤル８１ｂにより設定されたシャッタ開度指示抵抗値ｘと同じ値になるまで電動モータＭを回動させ、設定開度までシャッタ６がスライドするようになっている。
【００１３】
又、前記コントロールボックス８１に設けられたシャッタ開閉スイッチ８１ｃをＯＦＦにするとシャッタ６が開状態となっている場合でも、シャッタ開度「０」にすることができる。この時全閉となったことが分かるようシャッタ全閉ランプ８１ｄが点灯するよう設けてある。
このシャッタ開閉スイッチ８１ｃを設けることにより、枕地旋回時や肥料の補給時など散布作業を一時中断する場合に、シャッタ開度設定ダイヤル８１ｂを「０」に戻すことなく散布作業を停止することが可能となる。
【００１４】
図２，図３において前記シャッタ開度制御装置８の作用を詳しく説明すると、コントロールボックス８１に設けられるメインスイッチ８１ａをＯＮするとシャッタ開度制御装置８が作動可能となり、シャッタ開閉スイッチ８１ｃをＯＮにしシャッタ開度設定ダイヤル８１ｂを回動させることによりシャッタ開度を設定することが可能となる。コントロールボックス８１には開度設定目盛が設けてあり、前記シャッタ開度設定ダイヤル８１ｂを所望のシャッタ開度となるよう開度設定目盛まで回動させることにより、シャッタ開度指示抵抗値ｘをシャッタ開度制御装置８へ出力し電動モータＭを回動させる。
【００１５】
電動モータＭの回動とともにモータギヤ７１が回動し、このモータギヤと噛合するシャッタギヤプレート７２を回動させ、このシャッタギヤプレート７２の軸支部に設けられたポテンショメータ８２がシャッタギヤプレート７２の回動にともない、電気抵抗値ｙを変位させながらシャッタ開度制御装置８へ出力する。
シャッタ開度設定ダイヤル８１ｂから出力されるシャッタ開度指示抵抗値ｘおよびポテンショメータ８２から出力される電気抵抗値ｙをシャッタ開度制御装置８内に設けられるＣＰＵ８４により抵抗値比較を行い、電動モータＭの回動制御を行う。ｘ＝０でｙ＝０の場合は、シャッタ開度は「０」となりシャッタ全閉ランプ８１ｄが点灯する。ｘ＞ｙの場合はシャッタ開側リレー８３ａが作動し、電動モータＭを開方向へｘ＝ｙとなるまで回転させ、シャッタ６を開方向へ移動させる。ｘ＜ｙの場合はシャッタ閉側リレー８３ｂが作動し、電動モータＭを閉方向へｘ＝ｙとなるまで回転させシャッタ６を閉方向へ移動させる。
【００１６】
又、シャッタ開閉スイッチ８１ｃを「ＯＦＦ」とした場合、シャッタ開度設定ダイヤル８１ｂによるシャッタ開度指示抵抗値ｘの値に関係なく、ポテンショメータ８２の電気抵抗値ｙを「０」となるようにシャッタ閉側リレー８３ｂを作動させ、電動モータＭを閉方向へｙ＝０となるまで回転させシャッタ６を全閉とする。このように制御することにより、シャッタ開度の設定値を変えることなく独立してシャッタ開閉を行うことができる。
【００１７】
図４は肥料散布作業の形態を示す図で、肥料散布機Ａを後部に装着したトラクタＴが肥料Ｈを散布しながら前進し、枕地Ｂまできたら前記コントロールボックス８１に設けたシャッタ開閉スイッチ８１ｃを「ＯＦＦ」にすると、前記シャッタ６を全閉とし、散布作業を一時中断することができる。
そして、トラクタＴを旋回させ散布開始位置まできたらシャッタ開閉スイッチ８１ｃを「ＯＮ」すると、シャッタ開度設定ダイヤル８１ｂにて設定されたシャッタ開度までシャッタ６をスライドさせ散布作業を開始することが可能である。
【００１８】
【発明の効果】
以上のように構成したことにより、枕地旋回時や肥料の補給時など、散布作業を一時中断する場合でもシャッタ開度の設定値を変えることなく独立してシャッタの開閉を行うことができるので散布量が一定となり、より正確な散布作業を行うことができる。又、スイッチ一つで散布作業と非散布作業とに選択可能となるためシャッタ開閉動作を簡単に行え、操作性が向上するとともにスムーズな散布作業を行うことができる。
【図面の簡単な説明】
【図１】肥料散布機の一部断面をした斜視図
【図２】同肥料散布機に備えたシャッタ開度制御装置の回路図
【図３】同肥料散布機に備えたシャッタ開度制御装置のフロー図
【図４】同肥料散布機の作業形態図
【符号の説明】
１      機枠
１１    トップブラケット
１２Ｌ，１２Ｒ    ロアリンクブラケット
２      ホッパ
２１    底板
３      アジテータ
４      スピンナ
４１    散布羽根
５      ミッション
５１    入力軸
６      シャッタ
７      シャッタ開閉装置
７１    モータギヤ
７２    シャッタギヤプレート
７３    シャッタロット
７４    シャッタリンク
８      シャッタ開度制御装置
８１    コントロールボックス
８１ａ  メインスイッチ
８１ｂ  シャッタ開度設定ダイヤル
８１ｃ  シャッタ開閉スイッチ
８１ｄ  シャッタ全閉ランプ
８２    ポテンショメータ
８３ａ  シャッタ開側リレー
８３ｂ  シャッタ閉側リレー
８４    ＣＰＵ
Ａ      肥料散布機
Ｂ      枕地
Ｈ      肥料
Ｍ      電動モータ
Ｔ      トラクタ
【図１】
2004166681.tif 000003
【図２】
2004166681.tif 000004
【図３】
2004166681.tif 000005
【図４】
2004166681.tif 000006